(57)【要約】【課題】軽量化され、リサイクルし易く、形状の自由度が向上したストッカーを提供すること。【解決手段】ストッカー１は、買物カゴを保持する保持部１０を備え、樹脂で成形される。保持部１０は、天板部１２と、天板部１２の外縁側辺から下方へ延出した外側壁部１４と、天板部１２の外縁側辺に対向する天板部１２の内縁側辺から下方へ延出することによって、外側壁部１４に対向する内側壁部１６と、天板部１２の裏側に立設され、天板部１２、外側壁部１４、及び内側壁部１６に連設された第１補強リブ１８等とを備える。【選択図】図１
2020104853.tif 000002
【特許請求の範囲】
【請求項１】
容器を保持する保持部を備え、
樹脂で成形されたことを特徴とするストッカー。
【請求項２】
前記保持部は、
天板部と、
前記天板部の一辺から下方へ延出した外側壁部と、
前記天板部の一辺に対向する前記天板部の他辺から下方へ延出することによって、前記外側壁部に対向する内側壁部と、
前記天板部の裏側に立設され、前記天板部、前記外側壁部、及び前記内側壁部に連設された補強リブとを備えることを特徴とする請求項１に記載のストッカー。
【請求項３】
前記保持部に保持された容器の側壁を覆う覆い部を備えることを特徴とする請求項１又は請求項２に記載のストッカー。
【請求項４】
平面視で略矩形状であり、
前記覆い部は、
前記ストッカーの相対する一対の第１側辺側に設けられた第１覆い部と、
前記ストッカーの相対する一対の第２側辺側に設けられた第２覆い部とを備え、
前記第１覆い部は、
前記一対の第１側辺側から前記一対の第２側辺側に亘って設けられ、前記第２覆い部に第１所定距離離間して対向する対向覆い部を備え、
前記対向覆い部は、
使用者の指が掛けられる持ち手部を備えることを特徴とする請求項３に記載のストッカー。
【請求項５】
前記第１覆い部から第２所定距離離間した位置に設けられると共に、前記第２覆い部に連設された複数の脚部を備え、
前記複数の脚部は、キャスターが取り付けられるキャスター取付部を備え、
前記キャスター取付部は、側面視で、前記第１覆い部及び前記対向覆い部に覆われていることを特徴とする請求項４に記載のストッカー。
【請求項６】
前記保持部は、
保持面と、
前記保持面に含まれ、容器を保持すると同時に他のストッカーが積まれる兼用保持面とを備えることを特徴とする請求項１乃至請求項５のいずれか一つに記載のストッカー。
【請求項７】
前記兼用保持面は、容器を保持すると同時に、他の容器を保持した他のストッカーが積まれることを特徴する請求項６に記載のストッカー。
【請求項８】
前記保持部は、
保持面と、
前記保持面から上方へ延出した壁部とを備え、
前記保持面は、他のストッカー又は展示用トレーが積まれることを特徴とする請求項１乃至請求項５のいずれか一つに記載のストッカー。
【発明の詳細な説明】
【技術分野】
【０００１】
本発明は、容器が載せられるストッカーに関するものである。
【背景技術】
【０００２】
従来より、容器が載せられるストッカーに関し、種々の技術が提案されている。例えば、下記特許文献１には、略矩形形状の外周位置に連接して配置されたパイプ形状の金属製部材と、それぞれの角部に略鉛直方向に設けられた金属製の車輪軸と、を有する台車が記載されている。台車は、この車輪軸の先端には車輪が備えられており、上面には、例えば、買い物カゴ等が積載される。
【先行技術文献】
【特許文献】
【０００３】
【特許文献１】特開２０１０−２８０２９１号公報
【発明の概要】
【発明が解決しようとする課題】
【０００４】
しかしながら、上記特許文献１に記載の台車は、金属製であることから、重く、リサイクルし難い。更に、上記特許文献１に記載の台車は、金属製部材等を溶接して組み立てる必要があるため、形状の自由度が低い。
【０００５】
そこで、本発明は、上述した点を鑑みてなされたものであり、軽量化され、リサイクルし易く、形状の自由度が向上したストッカーを提供することを課題とする。
【課題を解決するための手段】
【０００６】
この課題を解決するためになされた請求項１に係る発明は、ストッカーであって、容器を保持する保持部を備え、樹脂で成形されたことを特徴とする。
【０００７】
請求項２に係る発明は、請求項１に記載のストッカーであって、保持部は、天板部と、天板部の一辺から下方へ延出した外側壁部と、天板部の一辺に対向する天板部の他辺から下方へ延出することによって、外側壁部に対向する内側壁部と、天板部の裏側に立設され、天板部、外側壁部、及び内側壁部に連設された補強リブとを備えることを特徴とする。
【０００８】
請求項３に係る発明は、請求項１又は請求項２に記載のストッカーであって、保持部に保持された容器の側壁を覆う覆い部を備えることを特徴とする。
【０００９】
尚、覆い部は、保持部に保持された容器の側壁の下端部が露出してもよい。
【００１０】
請求項４に係る発明は、請求項３に記載のストッカーであって、平面視で略矩形状であり、覆い部は、ストッカーの相対する一対の第１側辺側に設けられた第１覆い部と、ストッカーの相対する一対の第２側辺側に設けられた第２覆い部とを備え、第１覆い部は、一対の第１側辺側から一対の第２側辺側に亘って設けられ、第２覆い部に第１所定距離離間して対向する対向覆い部を備え、対向覆い部は、使用者の指が掛けられる持ち手部を備えることを特徴とする。
【００１１】
請求項５に係る発明は、請求項４に記載のストッカーであって、第１覆い部から第２所定距離離間した位置に設けられると共に、第２覆い部に連設された複数の脚部を備え、複数の脚部は、キャスターが取り付けられるキャスター取付部を備え、キャスター取付部は、側面視で、第１覆い部及び対向覆い部に覆われていることを特徴とする。
【００１２】
請求項６に係る発明は、請求項１乃至請求項５のいずれか一つに記載のストッカーであって、保持部は、保持面と、保持面に含まれ、容器を保持すると同時に他のストッカーが積まれる兼用保持面とを備えることを特徴とする。
【００１３】
請求項７に係る発明は、請求項６に記載のストッカーであって、兼用保持面は、容器を保持すると同時に、他の容器を保持した他のストッカーが積まれることを特徴とする。
【００１４】
請求項８に係る発明は、請求項１乃至請求項５のいずれか一つに記載のストッカーであって、保持部は、保持面と、保持面から上方へ延出した壁部とを備え、保持面は、他のストッカー又は展示用トレーが積まれることを特徴とする。
【発明の効果】
【００１５】
請求項１に係る発明のストッカーは、樹脂製のため、軽量化され、リサイクルし易く、形状の自由度が向上している。
【００１６】
請求項２に係る発明のストッカーでは、天板部を挟んで下方へ延出する外側壁部及び内側壁部によって、保持部が所謂二重壁構造をなし、更に、天板部の裏側に立設された補強リブが、外側壁部及び内側壁部に連設されている。これにより、請求項２に係る発明のストッカーでは、容器を保持する保持部の強度向上が図られている。
【００１７】
請求項３に係る発明のストッカーにおいて、保持部に保持された容器の側壁は、覆い部で覆われるので、汚れ及び破損等から保護される。更に、覆い部に対して、印刷、刻印、又はシール貼付等が可能である。これにより、請求項３に係る発明のストッカーは、その外観において、宣伝効果が大きい店舗情報又は商品情報等を示すことか可能である。
【００１８】
請求項４に係る発明のストッカーでは、覆い部が第１覆い部と第２覆い部とで構成されるが、第１覆い部を切り欠いた持ち手部や、第１覆い部を貫通させた持ち手部が形成されても、持ち手部の内方側では、第２覆い部で容器の側壁が覆われる。これにより、ストッカーの持ち運び易さの向上等が図られると共に、容器への汚れや破損等が抑制される。
【００１９】
請求項５に係る発明のストッカーは、キャスター取付部に取り付けられたキャスターによって、簡単に移動することが可能である。更に、請求項５に係る発明のストッカーにおいて、キャスター取付部を備えた複数の脚部は、第２覆い部に連設されることによって、強度の向上が図られている。更に、複数の脚部及びそれらのキャスター取付部は、第１覆い部から第２所定距離離間した位置に設けられると共に、側面視で、第１覆い部及び対向覆い部に覆われている。そのため、例えば、強度確保の観点から、他の部分よりも比較的肉厚に成形されたことによって、各キャスター取付部にヒケ等が発生した場合でも、そのヒケ等は外から視認され難い。そのため、請求項５に係る発明のストッカーは、外観性に優れる。
【００２０】
請求項６に係る発明のストッカーは、保持面の兼用保持面に他のストッカーが積まれること（が繰り返されること）によって、高さを変更することが可能である。更に、請求項６に係る発明のストッカーは、保持部に保持された状態の容器に対して、物品を収容させることが可能である。
【００２１】
請求項７に係る発明のストッカーは、他のストッカーが積まれた（ことが繰り返された）場合でも、最上側のストッカーに保持された容器に対して、物品を収容させることが可能である。これにより、使用者は、請求項７に係る発明のストッカーを、陳列台、又は商品をピッキングする際のピッキング台として使用することが可能である。更に、使用者は、最上側以外のストッカーに保持された容器に対して物品を収容させることによって、請求項７に係る発明のストッカーを、ストック台として使用することが可能である。
【００２２】
請求項８に係る発明のストッカーは、保持面に他のストッカーが積まれること（が繰り返されること）によって、高さを変更することが可能である。その際、請求項８に係る発明のストッカーでは、保持面から上方へ延出した壁部によって、保持面に積まれたストッカーの水平方向の位置ずれが抑制される。この点は、保持面に展示用トレーが積まれた場合でも、同様である。更に、使用者は、展示用トレー上に商品を並べることによって、請求項８に係る発明のストッカーを、陳列台として使用することが可能である。
【図面の簡単な説明】
【００２３】
【図１】本発明の第１実施形態のストッカーが上方から表された斜視図である。
【図２】同ストッカーが下方から表された斜視図である。
【図３】同ストッカーの一部が下方から表された斜視図である。
【図４】図２の線Ａ−Ａで同ストッカーを切断した断面が表された図である。
【図５】図２の線Ｂ−Ｂで同ストッカーを切断した断面が表された図である。
【図６】同ストッカーの一部が表された底面図である。
【図７】同ストッカーが買物カゴを保持した状態で上方から表された斜視図である。
【図８】同ストッカーが多数の買物カゴを保持した状態で上方から表された斜視図である。
【図９】同ストッカーが買物カゴを傾けて保持した状態で上方から表された斜視図である。
【図１０】中心線ＣＬ１よりも左側は買物カゴを保持した同ストッカーの２段積み状態が表された側面図であり、中心線ＣＬ１よりも右側は同買物カゴ及び同ストッカーの断面が表された図である。
【図１１】中心線ＣＬ２よりも右側は買物カゴを保持した同ストッカーの２段積み状態が表された側面図であり、中心線ＣＬ２よりも左側は同買物カゴ及び同ストッカーの断面が表された図である。
【図１２】同ストッカーが３段積み状態で上方から表された斜視図である。
【図１３】図１２に表された同ストッカーの分解組付図である。
【図１４】図１３に表された同ストッカーの部分Ｓの拡大図である。
【図１５】段積みされた同ストッカーを図１６の線Ｅ−Ｅで切断した断面が表された図である。
【図１６】段積みされた同ストッカーを図１５の線Ｄ−Ｄで切断した断面が表された図である。
【図１７】本発明の第２実施形態のストッカーが上方から表された斜視図である。
【図１８】同ストッカーが下方から表された斜視図である。
【図１９】同ストッカーが多数の買物カゴを保持した状態で上方から表された斜視図である。
【発明を実施するための形態】
【００２４】
以下、本発明に係るストッカーについて、店舗等の買物カゴを保持するものとして具体化した本実施形態に基づき、図面を参照しつつ説明する。
【００２５】
（１-１）第１実施形態の概要
図１乃至図６に表されたように、第１実施形態のストッカー１は、保持部１０、覆い部３０、及び４個の脚部５０等を備えている。ストッカー１は、平面視で略矩形状であって、ポリプロピレン等の樹脂を材料として金型成形されている。
【００２６】
保持部１０は、後述する図７等に表された買物カゴ１００を保持するものであって、天板部１２、外側壁部１４、内側壁部１６、第１補強リブ１８、第２補強リブ１９、保持板２０、及び第３補強リブ２２を備えている。
【００２７】
天板部１２は、平面視で略矩形の環状形状をなしている。天板部１２の外縁側辺からは、外側壁部１４が下方へ延出している。これに対して、天板部１２の外縁側辺と水平方向で対向している天板部１２の内縁側辺からは、内側壁部１６が下方へ延出している。これにより、外側壁部１４及び内側壁部１６は、水平方向で対向している。
【００２８】
内側壁部１６では、外側壁部１４と対向する方向とは反対方向の側面において、保持板２０が、ストッカー１の内方へ向かって延出している。保持板２０は、その中央部が開口されており、平面視で略矩形の環状形状をなしている。保持板２０の上面は、略水平な面である。
【００２９】
第１補強リブ１８は、ストッカー１の長辺側中央に設けられている。第１補強リブ１８は、天板部１２の裏面から下方へ向かって延出すると共に、外側壁部１４及び内側壁部１６が相互に対向する各側面に連なっている。更に、第１補強リブ１８は、内側壁部１６の底面、及び保持板２０の下面に連なっている。
【００３０】
第２補強リブ１９は、ストッカー１の短辺側において、外側壁部１４と対向する方向とは反対方向の内側壁部１６の側面、及び保持板２０の下面から下方へ向かって延出している。ストッカー１の短辺側では、３個の第２補強リブ１９が、略等ピッチで設けられている。
【００３１】
第３補強リブ２２は、ストッカー１の長辺側に設けられている。詳しくは、ストッカー１の長辺側中央に位置する第１補強リブ１８とストッカー１の両端との間において、２個の第３補強リブ２２が略等ピッチで設けられている。第３補強リブ２２は、天板部１２の裏面から下方へ向かって延出すると共に、外側壁部１４及び内側壁部１６が相互に対向する各側面に連なっている。
【００３２】
覆い部３０は、保持部１０に保持されている買物カゴ１００（図７等参照）の側壁を覆うものであって、第１覆い部３２、第２覆い部３４、対向覆い部３６、及び持ち手部３８等から構成されている。第１覆い部３２は、ストッカー１の相対する一対の長辺側において、保持部１０の外側壁部１４から下方へ向かって延出すると共に、下方に向かうに連れてストッカー１の外方へ向かうように傾斜して設けられている。
【００３３】
第２覆い部３４は、ストッカー１の相対する一対の短辺側において、保持部１０の内側壁部１６から下方へ向かって延出している。第２覆い部３４の下端部は、ストッカー１の内方へ向かうように曲折している。
【００３４】
第１覆い部３２は、対向覆い部３６を備えている。対向覆い部３６は、ストッカー１の相対する一対の短辺側において、第２覆い部３４からストッカー１の外方へ第１所定距離Ｌ１を置いて離間した状態で対向しながら、保持部１０の外側壁部１４から下方へ向かって延出している。対向覆い部３６は、ストッカー１の四隅において、ストッカー１の相対する一対の長辺側（の第１覆い部３２）に連なっている。このようにして、対向覆い部３６は、ストッカー１の相対する一対の長辺側からストッカー１の相対する一対の短辺側に亘って設けられている。
【００３５】
対向覆い部３６は、持ち手部３８を備えている。持ち手部３８は、ストッカー１の相対する一対の短辺側の対向覆い部３６において、上方へ窪んだ凹形状をなしており、使用者の指が掛けられるものである。従って、ストッカー１の相対する一対の短辺側では、凹形状の持ち手部３８からストッカー１の内方へ向かうと、第２覆い部３４に突き当たる。持ち手部３８は、その凹形状の上方側が、ストッカー１の外方へ曲折している。
【００３６】
脚部５０は、ストッカー１の四隅における保持部１０の下面において、第１覆い部３２とは第２所定距離Ｌ２を置いて離間した位置から下方へ向かって延出している。脚部５０は、ストッカー１の相対する一対の短辺側において、第２覆い部３４の両端と連なっている。
【００３７】
脚部５０の下端には、キャスター取付部５２が設けられている。脚部５０及びキャスター取付部５２は、ストッカー１の四隅において、側面視で、第１覆い部３２及び対向覆い部３６に取り囲まれるようにして覆われている（後述する図１０及び図１１参照）。
【００３８】
図７乃至図９等に表すように、脚部５０のキャスター取付部５２には、キャスターＣが取り付けられる。これにより、キャスターＣは、第１覆い部３２、第２覆い部３４、及び対向覆い部３６の下方において、自在に向きを変えることが可能である。尚、キャスターＣの一部は、キャスターＣの向きによっては、第１覆い部３２又は対向覆い部３６の下方からストッカー１の外方へ突出する。
【００３９】
（１-２）第１実施形態における買物カゴの保持例
ストッカー１は、例えば、図７乃至図９に表すようにして、買物カゴ１００を保持することが可能である。図７では、買物カゴ１００がストッカー１の上方から保持板２０の開口へ入れられ、保持板２０の上面に含まれる兼用保持面２４に対して、買物カゴ１００の上端外周に突設された複数のリブ１０２が載せられる。このようにして、買物カゴ１００は、ストッカー１に保持される。その際、買物カゴ１００の側壁は、第１覆い部３２、第２覆い部３４、及び対向覆い部３６によって覆われる。そのため、買物カゴ１００の存在感が隠れる。これにより、ストッカー１は、ストッカー１が使用されている店舗の雰囲気を壊さないような使用や、周囲の景観に配慮した使用が可能である。尚、ストッカー１の上方側では、買物カゴ１００の上端面に設けられた一対の取手１０４，１０４が露出した状態になる。
【００４０】
更に、ストッカー１では、図８に表されたようにして、ストッカー１に保持された買物カゴ１００内に他の買物カゴ１００が入り込む状態で、複数の買物カゴ１００が段積みされることも可能である。
【００４１】
ストッカー１は、図９に表されたようにして、買物カゴ１００を斜めの状態で保持することが可能である。その際、ストッカー１では、一方の短辺側で買物カゴ１００のリブ１０２が兼用保持面２４に載せられ、他方の短辺側で買物カゴ１００の底面が兼用保持面２４に掛けられる。
【００４２】
ストッカー１に斜めの状態で保持されている買物カゴ１００内に商品が陳列されると、ストッカー１は、買い手の目が届きやすい展示台（ディスプレイ）となる。このような使用によって、ストッカー１は、特売品等の臨時的な販売コーナー等で利用されることが可能である。
【００４３】
ストッカー１は、第１覆い部３２、第２覆い部３４、又は対向覆い部３６に対して、印刷、シール又はポップ広告紙の貼付等が行われると、図７乃至図９に表された何れの状態でも、ストッカー１が使用されている店舗の雰囲気を演出することが可能である。尚、ポップ広告紙は、持ち手部３８に貼付されると、持ち手部３８の曲折によって、下方に向かうに連れてストッカー１の外方へ向かうように傾斜するので、買い手の目が届きやすい。
【００４４】
（１-３）第１実施形態の段積み例
使用者は、図１０及び図１１に表されたようにして、ストッカー１を２段積みにすることが可能である。図１０及び図１１に表された２段積みの例では、下段のストッカー１に対して、買物カゴ１００を保持させた状態で、他の買物カゴ１００を保持させた上段のストッカー１が段積みされている。但し、２段積みの各ストッカー１のキャスター取付部５２には、キャスターＣが取り付けられていない。尚、図１０の中心線ＣＬ１は、ストッカー１をその相対する一対の短辺側で２分する中心線である。これに対して、図１１の中心線ＣＬ２は、ストッカー１をその相対する一対の長辺側で２分する中心線である。
【００４５】
また、使用者は、複数のストッカー１を段積みすることが可能である。図１２乃至図１６に表された例では、ストッカー１が３段積みされており、中下段の各ストッカー１には、買物カゴ１００が保持されている。これに対して、上段のストッカー１では、保持板２０の上面に含まれる兼用保持面２４に対して、展示用トレー１１０が載せられている。これにより、上段のストッカー１では、保持板２０の開口が塞がれている。上中段の各ストッカー１のキャスター取付部５２には、キャスターＣが取り付けられていないが、下段のストッカー１のキャスター取付部５２には、キャスターＣが取り付けられている。
【００４６】
図１０及び図１１に表された２段積みの例、及び図１２乃至図１６に表された３段積みの例の何れにおいても、買物カゴ１００を保持したストッカー１同士が段積みされると、下側のストッカー１の兼用保持面２４に対して、買物カゴ１００のリブ１０２が載せられると共に、上側のストッカー１のキャスター取付部５２が載せられる。このようにして、下側のストッカー１における兼用保持面２４では、買物カゴ１００を保持すると同時に、他の買物カゴ１００を保持した他のストッカー１が積まれる。
【００４７】
その際、下側のストッカー１に保持されている買物カゴ１００内に、上側のストッカー１に保持されている買物カゴ１００の底部が入り込む。更に、上側のストッカー１の第１覆い部３２の下端部及び対向覆い部３６の下端部が、下側のストッカー１の第１覆い部３２の上端部及び対向覆い部３６の上端部を覆う。このようにして、上側のストッカー１に保持されている買物カゴ１００は、その側壁の全てが、上下側の各ストッカー１の第１覆い部３２、第２覆い部３４、及び対向覆い部３６によって覆われる。
【００４８】
これに対して、最下側のストッカー１では、買物カゴ１００の側壁が、第１覆い部３２及び対向覆い部３６によって覆われれる一方、第２覆い部３４の下方側では、買物カゴ１００の側壁の下端部が側面視で露出している。このような状態であっても、第２覆い部３４の下端と対向覆い部３６の下端との間が狭いことから、最下側のストッカー１に保持されている買物カゴ１００の側壁の下端部は、外部から接触され難く、汚れ難い。この点は、例えば、図７に表されているように、単独のストッカー１が買物カゴ１００を保持している場合でも、同様である。
【００４９】
また、下側のストッカー１の兼用保持面２４と上側のストッカー１の第２覆い部３４の下端との間には、下側のストッカー１に保持されている買物カゴ１００の取手１０４が配置される空間が形成されている。
【００５０】
また、上側のストッカー１のキャスター取付部５２は、下側のストッカー１の内側壁部１６に含まれる壁部２６に当接して案内されながら、下側のストッカー１の兼用保持面２４に載せられる。
【００５１】
また、上下側の各ストッカー１に保持されている買物カゴ１００は、その水平方向の位置ずれ・移動が、上下側の各ストッカー１の規制部２８によって規制されている。尚、規制部２８は、保持板２０の開口部、保持板２０の下面に設けられた第１補強リブ１８又は第２補強リブ１９の内周壁である。また、最上側のストッカー１の兼用保持面２４に載せられた展示用トレー１１０は、内側壁部１６に含まれる壁部２６によって規制されている。
【００５２】
図１０及び図１１に表された２段積みの例では、上述したように、各ストッカー１のキャスター取付部５２に、キャスターＣが取り付けられていない。このような状態にあっても、下段のストッカー１に保持されている買物カゴ１００は、下段のストッカー１の接地面ＧＬから離間している。
【００５３】
図１２乃至図１６に表された３段積みの例では、上段のストッカー１において、展示用トレー１１０に代えて、買物カゴ１００が保持されてもよい。更に、兼用保持面２４に対し、他のストッカー１が積まれることによって、段積みの段数が増やされてもよい。あるいは、中段のストッカー１が省かれることによって、２段積みにされてもよい。
【００５４】
図１２乃至図１６に表された３段積みの例において、上段のストッカー１に載せられた展示用トレー１１０に商品が並べられると、３段積みされた各ストッカー１は、陳列台となる。その際、使用者は、展示用トレー１１０に並べられる商品の大きさや買い手の目線等に合わせて、ストッカー１の段積みの段数を変更すれば、展示用トレー１１０の高さを変更することが可能である。更に、使用者は、上段よりも下側の各ストッカー１に保持された買物カゴ１００内に、ストック用の商品を入れてもよい。
【００５５】
また、使用者は、例えば、展示用トレー１１０に代えて、上段のストッカー１にも買物カゴ１００を保持させた状態にすることによって、３段積みされた各ストッカー１をピッキング台として使用することが可能である。その際、使用者は、３段積みされた各ストッカー１を下段のストッカー１のキャスターＣでピッキング場所付近まで移動させた後、各ストッカー１に保持させている買物カゴ１００を取り出せば、買物カゴ１００だけを持ってピッキング場所に行くことが可能である。そのため、ピッキング場所が狭い通路に面していても、ピッキング作業が通行の邪魔にならない。更に、使用者は、買物カゴ１００を腕に掛けながらピッキング作業を行える。これにより、３段積みされた各ストッカー１がピッキング台として使用されると、ピッキングの作業性が向上する。この点は、ストッカー１が２段積み又は４段積み以上された場合でも、同様である。
【００５６】
（１-４）第１実施形態のまとめ
以上詳細に説明した通り、第１実施形態のストッカー１は、ポリプロピレン等の樹脂製のため、軽量化され、リサイクルし易く、形状の自由度が向上している。
【００５７】
第１実施形態のストッカー１では、天板部１２を挟んで下方へ延出する外側壁部１４及び内側壁部１６によって、保持部１０が所謂二重壁構造をなし、更に、天板部１２の裏側に立設された第１補強リブ１８及び第３補強リブ２２が、外側壁部１４及び内側壁部１６に連設されている。これにより、第１実施形態のストッカー１では、買物カゴ１００を保持する保持部１０の強度向上が図られている。
【００５８】
第１実施形態のストッカー１において、保持部１０に保持された買物カゴ１００の側壁は、覆い部３０で覆われるので、汚れ及び破損等から保護される。更に、覆い部３０に対して、印刷、刻印、又はシール貼付等が可能である。これにより、第１実施形態のストッカー１は、その外観において、宣伝効果が大きい店舗情報又は商品情報等を示すことか可能である。
【００５９】
第１実施形態のストッカー１では、覆い部３０が第１覆い部３２と第２覆い部３４とで構成される一方で、第１覆い部３２の対向覆い部３６には、第１覆い部３２が凹形状に切り欠かれたような持ち手部３８が設けられている。しかしながら、持ち手部３８の内方側では、第２覆い部３２で買物カゴ１００の側壁が覆われる。そのため、第１実施形態のストッカー１では、ストッカー１の持ち運び易さの向上等が図られると共に、持ち手部３８に掛けられる使用者の指等による、買物カゴ１００の汚れや破損等が抑制される。この点は、第１覆い部３２を貫通した持ち手部３８が設けられた場合も同様である。
【００６０】
第１実施形態のストッカー１は、キャスター取付部５２に取り付けられたキャスターＣによって、簡単に移動することが可能である。更に、第１実施形態のストッカー１において、キャスター取付部５２を備えた４個の脚部５０は、第２覆い部３４に連設されることによって、強度の向上が図られている。更に、４個の脚部５０及びそれらのキャスター取付部５２は、第１覆い部３２から第２所定距離Ｌ２を置いて離間した位置に設けられると共に、側面視で、第１覆い部３２及び対向覆い部３６に覆われている。そのため、例えば、強度確保の観点から、他の部分よりも比較的肉厚に成形されたことによって、各キャスター取付部５２にヒケ等が発生した場合でも、そのヒケ等は外から視認され難い。よって、第１実施形態のストッカー１は、外観性に優れる。
【００６１】
尚、キャスター取付部５２にボルトやネジが設けられても、同様にして、そのボルトやネジは外から視認され難い。
【００６２】
第１実施形態のストッカー１は、保持板２０の上面に含まれる兼用保持面２４に他のストッカー１が積まれること（が繰り返されること）によって、高さを変更することが可能である。更に、第１実施形態のストッカー１は、保持部１０に保持された状態の買物カゴ１００に対して、商品を収容させることが可能である。
【００６３】
第１実施形態のストッカー１は、他のストッカー１が積まれた（ことが繰り返された）場合でも、最上側のストッカー１に保持された容器に対して、商品を収容させることが可能である。これにより、使用者は、第１実施形態のストッカー１を、陳列台、又は商品をピッキングする際のピッキング台として使用することが可能である。更に、使用者は、最上側以外のストッカー１に保持された買物カゴ１００に対して商品を収容させることによって、第１実施形態のストッカー１を、ストック台として使用することが可能である。
【００６４】
第１実施形態のストッカー１は、保持板２０の上面に他のストッカー１が積まれること（が繰り返されること）によって、高さを変更することが可能である。その際、第１実施形態のストッカー１では、保持板２０の上面から上方へ延出した壁部２６によって、保持面の上面に積まれたストッカー１の水平方向の位置ずれが抑制される。この点は、保持板２０の上面に展示用トレー１１０が積まれた場合でも、同様である。更に、使用者は、展示用トレー１１０上に商品を並べることによって、第１実施形態のストッカー１を、陳列台として使用することが可能である。
【００６５】
第１実施形態では、ストッカー１の覆い部３０内に買物カゴ１００が保持されている。そのため、ストッカー１同士が横に並んだ場合は、一方のストッカー１の覆い部３０と他方のストッカー１の覆い部３０とが突き当たるので、買物カゴ１００同士が触れ合うことはない。更に、そのような場合において、覆い部３０からキャスターＣの一部が突出しても、一方のストッカー１のキャスターＣと他方のストッカー１のキャスターＣとが、互い干渉することなく、自由に動く。
【００６６】
（１−５）その他
ちなみに、第１実施形態において、第１補強リブ１８及び第３補強リブ２２は、「補強リブ」の一例である。天板部１２の外縁側辺は、「天板部の一辺」の一例である。天板部１２の内縁側辺は、「天板部の他辺」の一例である。保持板２０の上面は、「保持面」の一例である。買物カゴ１００は、「容器」の一例である。ストッカー１の長辺側は、「相対する一対の第１側辺側」の一例である。ストッカー１の短辺側は、「相対する一対の第２側辺側」の一例である。
【００６７】
（２−１）第２実施形態の概要
次に、図１７乃至図１９に表された第２実施形態のストッカー２０１を説明する。以下の説明では、上記第１実施形態と実質的に共通する部分には同一の符号の２００番台を付する。
【００６８】
第２実施形態のストッカー２０１は、平面視で略矩形状であって、保持部２１０及び４個の脚部２５０等を備えており、ポリプロピレン等の樹脂を材料として金型成形されている。保持部２１０は、買物カゴ３００を保持するものであって、平面視で略矩形の環状形状をなしている。保持部２１０は、天板部２１２、外側壁部２１４、内側壁部２１６、及び補強リブ２２２を備えている。
【００６９】
天板部２１２は、保持部２１０と同様にして、平面視で略矩形の環状形状をなしている。従って、天板部２１２の中央部は、開口している。天板部２１２の外縁側辺からは、外側壁部２１４が下方へ延出している。これに対して、天板部２１２の外縁側辺と水平方向で対向している天板部２１２の内縁側辺からは、内側壁部２１６が下方へ延出している。これにより、外側壁部２１４及び内側壁部２１６は、水平方向で対向している。但し、外側壁部２１４の延出長さは、内側壁部２１６の延出長さよりも長い。
【００７０】
補強リブ２２２は、天板部２１２の裏面から下方へ向かって延出すると共に、外側壁部２１４及び内側壁部２１６が相互に対向する各側面に連なっている。ストッカー２０１の長辺側では、５個の補強リブ２２２が略等ピッチで設けられている。これに対して、ストッカー２０１の短辺側では、３個の補強リブ２２２が略等ピッチで設けられている。更に、ストッカー２０１の四隅においても、補強リブ２２２が設けられている。
【００７１】
天板部２１２の四隅では、４個の脚部２５０が、外側壁部２１４から下方へ延出している。
【００７２】
ストッカー２０１は、買物カゴ３００を保持することが可能である。図１９では、買物カゴ３００がストッカー２０１の上方から天板部２１２の開口へ入れられ、天板部２１２の上面に対して、買物カゴ３００の上端外周に突設された複数のリブ３０２が載せられる。これにより、買物カゴ３００は、ストッカー２０１に保持される。更に、ストッカー２０１では、図１９に表されたようにして、ストッカー２０１に保持された買物カゴ３００内に他の買物カゴ３００が入り込む状態で、複数の買物カゴ３００が段積みされることも可能である。
【００７３】
（２−２）第２実施形態のまとめ
以上詳細に説明した通り、第２実施形態のストッカー１は、ポリプロピレン等の樹脂製のため、軽量化され、リサイクルし易く、形状の自由度が向上している。
【００７４】
第２実施形態のストッカー１では、天板部２１２を挟んで下方へ延出する外側壁部２１４及び内側壁部２１６によって、保持部２１０が所謂二重壁構造をなし、更に、天板部２１２の裏側に立設された補強リブ２２２が、外側壁部２１４及び内側壁部２１６に連設されている。これにより、第２実施形態のストッカー１では、買物カゴ３００を保持する保持部２１０の強度向上が図られている。
【００７５】
（２−３）その他
ちなみに、第２実施形態において、買物カゴ３００は、「容器」の一例である。天板部２１２の外縁側辺は、「天板部の一辺」の一例である。天板部２１２の内縁側辺は、「天板部の他辺」の一例である。保持板２０の上面が、「保持面」の一例である。
【００７６】
（３）変更例
尚、本発明は上記実施形態に限定されるものでなく、その趣旨を逸脱しない範囲で様々な変更が可能である。
例えば、第２実施形態のストッカー２０１において、外側壁部２１４と対向する方向とは反対方向の内側壁部２１６の側面において、第１実施形態の保持板２０が設けられてもよい。
【符号の説明】
【００７７】
１，２０１  ストッカー
１０，２１０  保持部
１２，２１２  天板部
１４，２１４  外側壁部
１６，２１６  内側壁部
１８  第１補強リブ
２０  保持板
２２  第３補強リブ
２４  兼用保持面
２６  壁部
３０  覆い部
３２  第１覆い部
３４  第２覆い部
３６  対向覆い部
３８  持ち手部
５０  脚部
５２  キャスター取付部
１００  買物カゴ
１１０  展示用トレー
２２２  補強リブ
Ｃ    キャスター
Ｌ１  第１所定距離
Ｌ２  第２所定距離
【図１】
2020104853.tif 000003
【図２】
2020104853.tif 000004
【図３】
2020104853.tif 000005
【図４】
2020104853.tif 000006
【図５】
2020104853.tif 000007
【図６】
2020104853.tif 000008
【図７】
2020104853.tif 000009
【図８】
2020104853.tif 000010
【図９】
2020104853.tif 000011
【図１０】
2020104853.tif 000012
【図１１】
2020104853.tif 000013
【図１２】
2020104853.tif 000014
【図１３】
2020104853.tif 000015
【図１４】
2020104853.tif 000016
【図１５】
2020104853.tif 000017
【図１６】
2020104853.tif 000018
【図１７】
2020104853.tif 000019
【図１８】
2020104853.tif 000020
【図１９】
2020104853.tif 000021